【手続補正書】
【提出日】平成24年11月30日(2012.11.30)
【手続補正１】
【補正対象書類名】特許請求の範囲
【補正対象項目名】全文
【補正方法】変更
【補正の内容】
【特許請求の範囲】
【請求項１】
内部クロックをそれぞれ有する複数の基地局と通信するシステムノードにおける方法であって、
前記複数の基地局のそれぞれに時間情報を提供し、前記複数の基地局のそれぞれから時間情報を受信し、
前記時間情報の少なくともいくつかに基づいてシステム時間基準を生成し、
前記複数の基地局のうち、外部時間エポック基準と同期している内部クロックを有さない基地局のために、時間同期情報を前記基地局に提供し、前記基地局の前記内部クロックを前記システム時間基準と同期させることを有する方法。
【請求項２】
前記時間情報の少なくともいくつかに基づいてシステム時間基準を生成することは、前記外部時間エポック基準と同期している内部クロックを有する少なくとも１つの基地局から受信した前記時間情報の少なくともいくつかに基づいてシステム時間基準を生成することを有する、請求項１に記載の方法。
【請求項３】
前記複数の基地局のそれぞれに時間情報を提供し、前記複数の基地局のそれぞれから時間情報を受信することは、基地局毎に、前記基地局にタイムスタンプ情報を提供し、前記基地局からタイムスタンプ情報を受信することを有し、
前記システムノードは、前記システム時間基準に基づいてタイムスタンプ情報を生成し、前記基地局は、内部クロックに基づいてタイムスタンプ情報を生成する、請求項２に記載の方法。
【請求項４】
前記システム時間基準を生成することは、前記時間情報の少なくともいくつかに基づいて前記システムノードのシステムノードクロックを前記外部時間エポック基準と同期させることを有する、請求項３に記載の方法。
【請求項５】
前記システム時間基準を生成することは、
前記外部時間エポック基準と同期している内部クロックを備えた基地局毎に、前記基地局の前記内部クロックと前記システムノードの前記システムノードクロックとの間の各時間オフセットを決定し、
前記外部時間エポック基準と同期している内部クロックを備えた基地局の各時間オフセットの平均に基づいて前記システムノードクロックを制御し、
前記システムノードクロックの出力に基づいて前記システム時間基準を生成することを有する、請求項４に記載の方法。
【請求項６】
前記システム時間基準を生成することは、
基地局毎に、前記システムノードの各システムノードクロックを生成し、前記基地局から受信した前記時間情報の少なくともいくつかに基づいて各システムノードクロックを制御し、各システムノードクロックを前記基地局の前記内部クロックと同期させ、
前記外部時間エポック基準と同期している内部クロックを備えた基地局に対応する各システムノードクロックの平均に基づいて前記システム時間基準を生成することを有する、請求項３に記載の方法。
【請求項７】
内部クロックをそれぞれ有する複数の基地局に時間情報を提供し、前記複数の基地局から時間情報を受信するように構成された通信インタフェースと、
システムノードクロックと、
システムノードクロックコントローラと
を有し、
前記システムノードクロックコントローラは、
前記複数の基地局のうち少なくとも１つから受信した前記時間情報のうち少なくともいくつかに基づいて前記システムノードクロックを制御し、
前記システムノードクロックの出力に基づいてシステム時間基準を生成し、
前記複数の基地局のうち、外部時間エポック基準と同期している内部クロックを有さない基地局のために、時間同期情報を前記基地局に提供し、前記基地局の前記内部クロックを前記システム時間基準と同期させるように構成されるシステムノード。
【請求項８】
前記システムノードクロックコントローラは、前記外部時間エポック基準と同期している内部クロックを有する各基地局から受信した前記時間情報の少なくともいくつかに基づいて前記システムノードクロックを制御するように構成される、請求項７に記載のシステムノード。
【請求項９】
前記通信インタフェースは、タイムスタンプ情報を提供及び受信することにより、前記複数の基地局に時間情報を提供し、前記複数の基地局から時間情報を受信するように構成され、
前記通信インタフェースは、前記システム時間基準に基づいてタイムスタンプ情報を生成し、基地局の内部クロックに基づいて生成されたタイムスタンプ情報を各基地局から受信するように構成される、請求項８に記載のシステムノード。
【請求項１０】
前記システムノードクロックコントローラは、前記複数の基地局のうち、前記外部時間エポック基準と同期している内部クロックを有する少なくとも１つの基地局から受信した前記時間情報の少なくともいくつかに基づいて前記システムノードクロックを前記外部時間エポック基準と同期させることにより、前記システム時間基準を生成するように構成される、請求項９に記載のシステムノード。
【請求項１１】
前記システムノードクロックコントローラは、
前記外部時間エポック基準と同期している内部クロックを備えた基地局毎に、前記基地局の前記内部クロックと前記システムノードの前記システムノードクロックとの間の各時間オフセットを決定し、
前記外部時間エポック基準と同期している内部クロックを備えた基地局の各時間オフセットの平均に基づいて前記システムノードクロックを制御するように構成される、請求項１０に記載のシステムノード。
【請求項１２】
前記システムノードクロックは、基地局毎に各システムノードクロックを有し、
前記システムノードクロックコントローラは、
基地局毎に、前記基地局から受信した前記時間情報の少なくともいくつかに基づいて各システムノードクロックを制御し、各システムノードクロックを前記基地局の前記内部クロックと同期させ、
前記外部時間エポック基準と同期している内部クロックを備えた基地局に対応する各システムノードクロックの平均に基づいて前記システム時間基準を生成するように構成される、請求項９に記載のシステムノード。
【請求項１３】
内部クロックを有する基地局における方法であって、
当該基地局を含む複数の基地局との通信リンクを有するシステムノードに時間情報を提供し、前記システムノードから時間情報を受信し、
間接外部時間エポック基準統制モードにおいて、
前記システムノードから時間同期情報を受信し、
前記時間同期情報に基づいて前記基地局の前記内部クロックを制御し、前記基地局の前記内部クロックを前記システムノードにより生成されたシステム時間基準と同期させることを有し、
前記システム時間基準は、地球航法衛星システム（GNSS）により提供される外部時間エポック基準と同期する方法。
【請求項１４】
直接外部時間エポック基準統制モードにおいて、
前記GNSSシステムから前記外部時間エポック基準を含むGNSS信号を受信し、
前記外部時間エポック基準に基づいて前記基地局の前記内部クロックを制御し、前記内部クロックを前記外部時間エポック基準と同期させることを更に有する、請求項１３に記載の方法。
【請求項１５】
前記GNSS信号のロックが確立されたことを決定した場合、前記間接外部時間エポック基準統制モードから前記直接外部時間エポック基準統制モードに切り替え、
前記GNSS信号のロックが失われたことを決定した場合、前記直接外部時間エポック基準統制モードから前記間接外部時間エポック基準統制モードに切り替えることを更に有する、請求項１４に記載の方法。
【請求項１６】
前記基地局が前記GNSS信号にロックしているか否かを示す外部時間エポック基準ロック状態メッセージを前記システムノードに送信することを更に有する、請求項１５に記載の方法。
【請求項１７】
前記システムノードと時間情報を交換することは、双方向の時間転送プロトコルに従って時間情報を交換することを有する、請求項１３ないし１６のうちいずれか１項に記載の方法。
【請求項１８】
システムノードと通信するように構成された通信インタフェースと、
ローカル発振器と、
内部クロックコントローラと
を有し、
前記内部クロックコントローラは、
前記ローカル発振器を制御し、
前記ローカル発振器の出力に基づいて内部クロックを生成し、
前記通信インタフェースを介して前記システムノードに時間情報を提供し、前記システムノードから時間情報を受信し、
間接外部時間エポック基準統制モードにおいて、
前記通信インタフェースを介して前記システムノードから時間同期情報を受信し、
前記時間同期情報に基づいて前記ローカル発振器を制御し、前記基地局の前記内部クロックを前記システムノードにより生成されたシステム時間基準と同期させるように構成され、
前記システム時間基準は、地球航法衛星システム（GNSS）により提供される外部時間エポック基準と同期する基地局。
【請求項１９】
前記GNSSシステムから前記外部時間エポック基準を含むGNSS信号を受信する地球航法衛星システム（GNSS）受信機を更に有し、
直接外部時間エポック基準統制モードにおいて、前記内部クロックコントローラは、前記GNSSシステムからGNSS信号を受信し、前記GNSS信号に含まれる前記外部時間エポック基準に基づいて前記ローカル発振器を制御し、前記内部クロックを前記外部時間エポック基準と同期させる、請求項１８に記載の基地局。
【請求項２０】
前記GNSS受信機は、A-GPS（assisted-Global  Positioning  System）受信機を有する、請求項１９に記載の基地局。
【請求項２１】
前記内部クロックコントローラは、
前記GNSS信号のロックが確立されたことを決定した場合、前記間接外部時間エポック基準統制モードから前記直接外部時間エポック基準統制モードに切り替え、
前記GNSS信号のロックが失われたことを決定した場合、前記直接外部時間エポック基準統制モードから前記間接外部時間エポック基準統制モードに切り替えるように構成される、請求項１９又は２０に記載の基地局。
【請求項２２】
前記内部クロックコントローラは、前記GNSS受信機が前記GNSS信号にロックしているか否かを示す外部時間エポック基準ロック状態メッセージを、前記通信インタフェースを介して前記システムノードに送信するように構成される、請求項２１に記載の基地局。
【請求項２３】
前記通信インタフェースは、双方向の時間転送プロトコルに従って前記システムノードに時間情報を提供し、前記システムノードから時間情報を受信するように構成される、請求項１８ないし２２のうちいずれか１項に記載の基地局。